(57)【要約】【課題】引戸を左右に移動させる際に、操作部が邪魔になることがなく、スムーズに横引き移動させることができる引戸を提供する。【解決手段】引戸本体２の側端部の表面に、手がかり溝３ａが上下方向に延在して形成されており、この手がかり溝３ａに、上下にスライド操作されることによって引戸の施錠および開錠を行うスライド操作部６が上下にスライド可能に挿入されている。スライド操作部６の全体が引戸本体２から突出することがないので、引戸１を左右に横引き移動させる際に、スライド操作部６が邪魔になることがない。したがって、引戸１をスムーズに横引き移動させることができる。【選択図】図１
2007100369.tif 000002
【特許請求の範囲】
【請求項１】
引戸本体の側端部でかつ少なくとも一方の表面に、手がかり溝が上下方向に延在して形成された引戸において、
前記手がかり溝には、上下にスライド操作されることによって引戸の施錠および開錠を行うスライド操作部が上下にスライド可能に挿入されていることを特徴とする引戸。
【請求項２】
請求項１に記載の引戸において、
前記手がかり溝は、前記引戸本体の上下全長に亙って形成されていることを特徴とする引戸。
【請求項３】
請求項１または２に記載の引戸において、
前記スライド操作部は、前記手がかり溝から突出しない状態で該手がかり溝に挿入されていることを特徴とする引戸。
【請求項４】
請求項１〜３のいずれか一項に記載の引戸において、
前記スライド操作部の上下端部には、このスライド操作部の表面から底部に向けて斜めに傾斜する傾斜面が形成されており、この傾斜面には凹凸部が複数形成されていることを特徴とする引戸。
【請求項５】
請求項１〜４のいずれか一項に記載の引戸において、
前記引戸本体の厚さが、戸袋の開口の幅とほぼ等しいか、若干小さくなっていることを特徴とする引戸。
【発明の詳細な説明】
【技術分野】
【０００１】
本発明は、部屋に出入りするための開口部に設けられる引戸に関する。
【背景技術】
【０００２】
部屋に出入りする際に開閉される引戸の一例として特許文献１に記載の引戸が知られている。この引戸は、縦框と鏡板との境界部に、その長さ方向の全長にわたって、手指が入り、横引き操作可能な幅を有する手がかり溝が、表裏面の少なくとも一方に形成されたものである。
このような引戸では、子供からお年寄りまで引手の設置高さを気にせずに楽に横引き開閉可能で、開口部の完全開放を実現することのできる。また、従来の引手を不要とすることができることから、すっきりとしたデザインであり、部品の合理化に寄与することもできる。
【特許文献１】特開２００３−９０１７６号公報
【発明の開示】
【発明が解決しようとする課題】
【０００３】
ところで、引戸では、それが簡単に開けられないように錠を取り付ける場合がある。この錠の一例としてカマ錠が知られている。このカマ錠は、引戸の側端面からカマが出没するようになっており、カマが突出することで施錠し、カマが没することによって開錠するようになっている。カマを出没させるには、引戸の側端部表面に、回転式やスライド式の操作部を取り付け、この操作部の回転やスライドに連動して、カマが引戸の側端面から出没するようになっている。
しかし、引戸に上記のような錠を取り付けた場合、この錠を施錠、開錠する操作部全体が引戸の表面に突出してしまうので、引戸を左右に横引き移動させる際に、操作部が邪魔になる場合がある。
例えば、操作部が突出しているので、この操作部が引戸を横引き移動させて開閉する際に衣服等に引っ掛かってしまうことがある。
また、引違い式の引戸である場合、一方の引戸を他方の引戸側に引込んで開口を開く場合に、一方の引戸の操作部が他方の引戸に引っ掛かって完全に開口を開くことができない。
さらに、引戸を戸袋に収める場合に、操作部が戸袋の開口部に引っ掛かって完全に収めることができない。
【０００４】
本発明は上記事情に鑑みてなされたものであり、引戸を左右に移動させる際に、操作部が邪魔になることがなく、スムーズに横引き移動させることができる引戸を提供することを課題としている。
【課題を解決するための手段】
【０００５】
上記課題を解決するために、請求項１に記載の発明は、例えば図１〜図３に示すように、引戸本体２の側端部でかつ少なくとも一方の表面に、手がかり溝３ａが上下方向に延在して形成された引戸において、
前記手がかり溝３ａには、上下にスライド操作されることによって引戸の施錠および開錠を行うスライド操作部６が上下にスライド可能に挿入されていることを特徴とする。
【０００６】
ここで、前記手がかり溝３ａとは、手指が入り、横引き操作可能な幅を有する溝のことであり、引戸（引戸本体）の上下全長に亙って形成してもよいし、上下に所定長さで形成してもよい。この場合、少なくともスライド操作部６が上下にスライド可能な長さに形成することが必要である。
【０００７】
請求項１に記載の発明によれば、スライド操作部６を手がかり溝３ａに挿入したので、このスライド操作部６の全体が引戸本体２から突出することがないので、引戸を左右に横引き移動させる際に、スライド操作部６が邪魔になることがない。したがって、引戸をスムーズに横引き移動させることができる。
【０００８】
請求項２に記載の発明は、請求項１に記載の引戸において、
前記手がかり溝３ａは、前記引戸本体２の上下全長に亙って形成されていることを特徴とする。
【０００９】
請求項２に記載の発明によれば、手がかり溝３ａが引戸本体２の上下全長に亙って形成されているので、スライド操作部６を引戸本体２の上下方向の所望の位置に取り付けることができる。
また、スライド操作部６を子供の手が届かない位置に取り付けることができるので、子供が誤って引戸を施錠したり、開錠するのを防止できるとともに、手がかり溝３ａには子供が容易に手指をかけることができるので、引戸を容易に開閉できる。
【００１０】
請求項３に記載の発明は、請求項１または２に記載の引戸において、
前記スライド操作部６は、前記手がかり溝３ａから突出しない状態で該手がかり溝３ａに挿入されていることを特徴とする。
【００１１】
請求項３に記載の発明によれば、スライド操作部６が手がかり溝３ａから突出していないので、引戸を左右に横引き移動させる際に、スライド操作部６が全く邪魔になることがない。
また、引違い式の引戸の場合に、一方の引戸を他方の引戸側に引込んで開口を開く際に、一方の引戸のスライド操作部が他方の引戸に引っ掛かることがなく、完全に開口を開くことができる。
【００１２】
請求項４に記載の発明は、請求項１〜３のいずれか一項に記載の引戸において、
前記スライド操作部６の上下端部には、このスライド操作部６の表面から底部に向けて斜めに傾斜する傾斜面１５ａ，１５ａが形成されており、この傾斜面１５ａ，１５ａには凹凸部１５ｂ，１５ｂが複数形成されていることを特徴とする。
【００１３】
凹凸部１５ｂは指を引っ掛かり易くするためのものであるので、細い溝を所定間隔で複数形成してもよいし、細かな突起を所定間隔で複数形成してもよい。
【００１４】
請求項４に記載の発明によれば、スライド操作部６の傾斜面１５ａ，１５ａに凹凸部１５ｂ，１５ｂが複数形成されているので、該傾斜面１５ａ，１５ａに指が引っ掛かり易くなり、よって、スライド操作部６を容易にスライド操作できる。
【００１５】
請求項５に記載の発明は、例えば図４に示すように、請求項１〜４のいずれか一項に記載の引戸において、
前記引戸本体２の厚さが、戸袋２６の開口の幅とほぼ等しいか、若干小さくなっていることを特徴とする。
【００１６】
請求項５に記載の発明によれば、引戸本体２の厚さが、戸袋２６の開口の幅とほぼ等しいか、若干小さくなっているが、スライド操作部６が手がかり溝３ａに挿入されているので、該スライド操作部６が戸袋２６の開口部に干渉することがない。したがって、引戸を戸袋２６に全部収めることができるので、広い開口をとることができる。
【発明の効果】
【００１７】
本発明によれば、上下方向に延在して形成された手がかり溝に、上下にスライド操作されることによって引戸の施錠および開錠を行うスライド操作部が上下にスライド可能に挿入されているので、このスライド操作部の全体が引戸本体から突出することがない。したがって、引戸を左右に横引き移動させる際に、スライド操作部が邪魔になることがないので、引戸をスムーズに横引き移動させることができる。
【発明を実施するための最良の形態】
【００１８】
以下、図面を参照して本発明の実施の形態について説明する。
図１は、本発明に係る引戸の要部を示す一部破断斜視図であり、引戸の側端部の上下略中央部を示している。
引戸１は、引戸本体２の側端部の両面に手がかり溝３ａ，３ｂが形成された構成となっている。手がかり溝３ａ，３ｂは、引戸本体１の側端部を構成する上下に長尺な柱状部材５に対向する側面に形成されており、引戸本体２の上下全長に亙って、つまり柱状部材５の上下全長に亙って形成されている。柱状部材５の上下の長さは引戸本体２の上下全長と等しくなっており、その上下端面は引戸本体１の上下端面とほぼ面一になっている。柱状部材５は樹脂の押出成形品であり、この押出成形品には木粉が含まれている。また、前記手がかり溝３ａ，３ｂはこれを押出成形する際に同時に形成されたものである。
【００１９】
手がかり溝３ａは室内側に向いており、該手がかり溝３ａにはスライド操作部６が上下にスライド可能に挿入されている。スライド操作部６は、上下にスライド操作されることによって引戸１の施錠および開錠を室内側から行うものである。
すなわち、引戸本体２の側端面に形成された開口部２ａから略Ｌ字状のカマ７が基端部を支点として回転することによって出没するようになっており、カマ７が突出することで施錠し、カマ７が没することによって開錠するようになっている。そして、このカマ７とスライド操作部６は図示しない連結手段によって連結されており、スライド操作部６を下方にスライドさせることによって、連結手段を介してカマ７が回転して突出し、スライド操作部６を上方にスライドさせることによって、連結手段を介してカマ７が回転して没するようになっている。
また、スライド操作部６は引戸本体２の上下方向略中央部において、手がかり溝３ａに挿入されている。
【００２０】
前記スライド操作部６は、図２に示すように、ベース座１０とこのベース座１０に被せられたスライド操作バー１１とを備えている。
ベース座１０は帯板状に形成されたもので、その幅は前記手がかり溝３ａの幅と等しいか若干小さくなっており、厚さは手がかり溝３ａの深さより小さくなっている。また、ベース座１０には、２つの縦長の長穴１０ａ，１０ａが上下に離間して形成されており、この長穴１０ａ，１０ａの間に、穴１０ｂが形成されている。
一方、手がかり溝３ａの底面には、２つのねじ穴１２ａ，１２ａが上下に離間して形成されており、このねじ穴１２ａ，１２ａの間に縦長の長穴１２ｂが形成されている。ねじ穴１２ａ，１２ａのピッチは、前記長穴１０ａ，１０ａのピッチとほぼ等しくなっている。また、長穴１２ｂとねじ穴１２ａとのピッチは、穴１０ｂと長穴１０ａとのピッチとほぼ等しくなっている。
【００２１】
そして、ベース座１０は、手がかり溝３ａに挿入され、長穴１０ａ，１０ａに皿ねじ１３，１３を挿入し、ねじ穴１２ａ，１２ａに螺合することによって、手がかり溝３ａに上下にスライド可能に挿入されている。つまり、ベース座１０は、長穴１０ａの上下の長さだけ上下にスライド可能となっている。
さらに、ベース座１０の穴１０には前記長穴１２ｂから突出する連動シャフト１４がベース座１０の下面から挿入されている。連動シャフト１４は、前記連結手段に連結されており、この連動シャフト１４が長穴１０ｂ内において、上下に移動することによって、連結手段を介してカマ７が開口部２ａから出没するようになっている。
【００２２】
前記スライド操作バー１１は上下に長尺な帯板状に形成されており、その幅はベース座１０の幅と等しくなっており、上下の長さはベース座１０の長さより長くなっている。スライド操作バー１１の上下端部には、係止爪１５，１５がスライド操作バー１１の裏面側に斜め外側に突出するようにして形成されている。この係止爪１５ａ，１５ａの表面には、スライド操作バー１１の表面から底部に向けて斜め外側に傾斜する傾斜面１５ａ，１５ａが形成されており、該傾斜面１５ａ，１５ａには、細かな凹凸溝（凹凸部）１５ｂ，１５ｂが多数形成されている。この凹凸溝１５ｂ，１５ｂは手指を掛けた際の滑り止となるものである。また、スライド操作バー１１の表面には、その上下端部に操作表示シール１６ａ，１６ｂが貼り付けられている。操作表示シール１６ａは下方に向けて尖るように形成され、操作表示シール１６ｂは上方に向けて尖るように形成されている。そして、操作表示シール１６ａには「閉」の文字が、操作表示シール１６ｂには「開」の文字が記載されている。
【００２３】
スライド操作バー１１はベース座１０表面に被さられ、上下端部の係止爪１５，１５をベース座１０の上下端部に係止することによって、ベース座１０に取り付けられており、これによって、ベース座１０はスライド操作バー１１とともに上下にスライド可能となっている。
また、ベース座１１にスライド操作バー１１を被せた状態において、スライド操作バー１１の表面は、手がかり溝３ａから突出しておらず、引戸本体２の表面とほぼ面一か若干窪んでいる。
そして、スライド操作バー１１の傾斜面１５に手指を掛けて、該スライド操作バー１１を上下方向にスライドさせることによって、このスライド操作バー１１とともにベース座１０が上下にスライドするので、連動シャフト１４が上下に移動することによって、連結手段を介してカマ７が開口部２ａから出没する。
【００２４】
一方、前記手がかり溝３ｂは室外側（廊下等など）に向いており、該手がかり溝３ｂには、図３に示すように、非常時に室外側から解錠するための非常解錠座２０が挿入固定されている。
非常解錠座２０はその下面にロッド２０ａ，２０ａが上下に離間して立設されており、このロッド２０ａ，２０ａを、手がかり溝３ｂの底面に形成された穴２１ａ，２１ａに挿入固定することによって、手がかり溝３ｂに固定されている。
また、非常解錠座２０には縦長長方形状の開口部２０ｂが形成されており、この開口部２０ｂには、スライダ２２が上下にスライド可能にはめ込まれている。このスライダ２２の裏面には連動シャフト２２ａが立設されており、この連動シャフト２２ａは、手がかり溝３ｂの底面に形成された縦長の長穴２１ｂに挿入されている。この連動シャフト２２ａは柱状部材５の内部で前記連結手段に連結されており、この連動シャフト２２ａが長穴２１ｂ内において、上下に移動することによって、連結手段を介してカマ７が開口部２ａから出没するようになっている。
また、非常解錠座２０を手がかり溝３ｂに挿入固定した状態において、非常解錠座２０の表面は、手がかり溝３ｂから突出しておらず、引戸本体２の表面とほぼ面一か若干窪んでいる。
そして、スライダ２２に手指を掛けて、該スライダ２２を上下方向にスライドさせることによって、連動シャフト２２ａが上下に移動し、連結手段を介してカマ７が開口部２ａから出没するようになっている。つまり、非常時に、引戸を室外側から解錠したり、施錠できるようになっている。
【００２５】
なお、引戸本体２の側端面には、開口部２ａの上方において、トリガー２４が出没可能に設けられており、このトリガー２４が押し込まれた場合に、カマ７が開口部２ａから突出できるようになっている。つまり、引戸１が設けられた開口部の縦框等に引戸１の側端面が当接して、引戸１が正しく閉まるとトリガー２４が押し込まれ、カマ７が開口部２ａから突出して施錠できるようになっている。
【００２６】
上記のような構成の引戸１は、例えば図４に示すように、壁に形成された開口部２５に設けられて、該開口部２５を開閉する。壁には戸袋２６が形成されており、引戸本体２の厚さは、この戸袋２６の開口の幅とほぼ等しいか、若干小さくなっている。
また、戸袋２６の深さは、引戸１の長さとほぼ等しくなっており、これによって、戸袋２６に引戸１全体を引込んだ場合は、引戸１の側端面と、戸袋２６の開口端面とがほぼ面一となって、開口部２５を最大限に開放できるようになっている。
【００２７】
また、引戸１を戸袋２６に引込んだ状態において、引戸１の側端面と、戸袋２６の開口端面とがほぼ面一となるが、引戸１の側端面には、図５に示すように、引手部２７が設けられているので、この引手部２７に手指を引掛けて引込むことによって、引戸１を容易に戸袋２６から引き出すことができる。
引手部２７は引戸１の側端面から出没可能となるように柱状部材５に設けられたものであり、押し込むことによってその先端面が引戸１の側端面とほぼ面一となり、この状態でロックされる。したがって、引戸１の側端面が開口部２５の縦框等に当接する際に、引手部２７が邪魔になることがない。
また、引手部２７は押し込まれた状態から、さらに若干押し込むと前記ロックが解除され、柱錠部材５の内部に設けられたバネ等によって突出するようになっている。したがって、戸袋２６に引込まれて収容された引戸１を引き出す場合は、引手部２７を突出させることによって、引戸１を容易に戸袋２６から引き出すことができる。
なお、引手部２７は柱状部材５の上下方向のどの位置に設けてもよいが、上下方向略中央部に設けるのが望ましい。
【００２８】
本実施の形態によれば、スライド操作部６を手がかり溝３ａに挿入したので、このスライド操作部６の全体が引戸本体２から突出することがないので、引戸１を左右に横引き移動させる際に、スライド操作部６が邪魔になることがない。したがって、引戸１をスムーズに横引き移動させることができる。
また、手がかり溝３ａが引戸本体２の上下全長に亙って形成されているので、スライド操作部６を引戸本体２の上下方向の所望の位置に取り付けることができる。また、スライド操作部６を子供の手が届かない位置に取り付けることができるので、子供が誤って引戸１を施錠したり、開錠するのを防止できるとともに、手がかり溝３ａには子供が容易に手指をかけることができるので、引戸１を容易に開閉できる。
【００２９】
さらに、スライド操作部６が手がかり溝３ａから突出していないので、引戸１を左右に横引き移動させる際に、スライド操作部６が全く邪魔になることがない。
また、引違い式の引戸１の場合に、一方の引戸１を他方の引戸側に引込んで開口を開く際に、一方の引戸１のスライド操作部６が他方の引戸１に引っ掛かることがなく、完全に開口を開くことができる。
加えて、スライド操作部６の傾斜面１５ａに凹凸溝１５ｂが多数形成されているので、該傾斜面１５ａに指が引っ掛かり易くなり、よって、スライド操作部６を容易にスライド操作できる。
また、引戸本体２の厚さが、戸袋２６の開口の幅とほぼ等しいか、若干小さくなっているが、スライド操作部６が手がかり溝３ａに挿入されているので、該スライド操作部６が戸袋の開口部に干渉することがない。したがって、引戸１を戸袋２６に全部収めることができるので、広い開口をとることができる。
【図面の簡単な説明】
【００３０】
【図１】本発明に係る引戸の一例を示すもので、その要部を示す一部破断斜視図である。
【図２】同、スライド操作部を示す要部の分解斜視図である。
【図３】同、非常解錠座を示す要部の分解斜視図である。
【図４】同、引戸を開口部に設けた状態を示す平断面図である。
【図５】同、引戸の側端面に設けられた引手部を示す斜視図である。
【符号の説明】
【００３１】
１  引戸
２  引戸本体
３ａ，３ｂ  手がかり溝
６  スライド操作部
１５ａ  傾斜面
１５ｂ  凹凸溝（凹凸部）
２０  戸袋
【図１】
2007100369.tif 000003
【図２】
2007100369.tif 000004
【図３】
2007100369.tif 000005
【図４】
2007100369.tif 000006
【図５】
2007100369.tif 000007